(57)【要約】  【課題】  面振れなどに影響を与えることなくターンテーブルを駆動モータの回転軸により回転支持することができ、かつ、落下衝撃等の外力が加わった場合に前記ターンテーブルの駆動モータ側へのずれ量が極力小さくなるような構造のディスクドライブ装置を提供することである。  【解決手段】  ターンテーブル１０と、ターンテーブル１０を回転支持する回転軸２５を有する駆動モータ２０と、ターンテーブル１０にセットされた記録ディスクＤＫからの情報の読み出しに用いられる光ピックアップユニット３０とを備えたディスクドライブ装置であって、ターンテーブル１０の支持部１３は、その先端部に、軸孔１４を塞ぐと共に軸孔１４と外部とを連通する連通孔１３ｂの形成されたストッパ部１３ａを有し、駆動モータ２０の回転軸２５の先端とストッパ部１３ａとの間に第１の隙間ΔＢが形成された状態で回転軸２５が軸孔１４に圧入された構成となる。【選択図】  図２
2006155705.tif 000002
【特許請求の範囲】
【請求項１】
軸孔の形成された支持部を中央部に有するターンテーブルと、
前記ターンテーブルにおける前記支持部の軸孔に圧入され、前記ターンテーブルを回転支持する回転軸を有する駆動モータと、
前記ターンテーブルにセットされた記録ディスクからの情報の読み出しに用いられる光ピックアップユニットとを備えたディスクドライブ装置であって、
前記ターンテーブルの支持部は、その先端部に、前記軸孔を塞ぐと共に該軸孔と外部とを連通する連通孔の形成されたストッパ部を有し、
前記駆動モータの回転軸の先端と前記ストッパ部との間に第１の隙間が形成された状態で前記回転軸が前記軸孔に圧入されたことを特徴とするディスクドライブ装置。
【請求項２】
前記第１の隙間は、前記ターンテーブルと駆動モータとの間に配置される部材と前記ターンテーブルとの間の第２の隙間より小さいことを特徴とする請求項１記載のディスクドライブ装置。
【請求項３】
前記第１の隙間は、前記光ピックアップユニットの前記ターンテーブルにセットされた記録ディスク面に垂直な方向における読み取り位置調整許容範囲より小さいことを特徴とする請求項１または２記載のディスクドライブ装置。
【発明の詳細な説明】
【技術分野】
【０００１】
本発明は、ＣＤ（Compact Disk）、ＤＶＤ（Digital Versatile Disk）等の記録ディスクからの情報の読み出しに際して当該記録ディスクを回転駆動させるディスクドライブ装置に関する。
【背景技術】
【０００２】
従来のディスクドライブ装置は、例えば、図３に示すように構成される。このディスクドライブ装置は、金属または樹脂モールドにて形成されたターンテーブル１０と駆動モータ２０とを備えている。ターンテーブル１０は、同心的に形成されたディスク支持リング部１１、ディスクセットリング部１２及び支持部１３を有している。支持部１３の中心には、当該支持部１３を貫通する軸孔１４が形成されている。
【０００３】
駆動モータ２０は、フレーム２１の中央部に形成された軸受け支持部２２に固定支持されたメタル軸受け２３にて回転軸２５が回転自在に支持されている。回転軸２５はロータ２４に固定されており、電磁回路部材（図示略）の電磁作用によるロータ２４の回転によって回転軸２５が回転するようになっている。駆動モータ２０は、ドライブシャーシ１００の下方側に位置するように支持部材（図示略）に固定支持され、回転軸２５がドライブシャーシ１００の上方側に位置するターンテーブル１０の支持部１３に形成された軸孔１４に圧入されている。
【０００４】
このような構造のディスクドライブ装置では、記録ディスク（ＣＤ、ＤＶＤ等）の中心孔がディスクセットリング部１２に嵌め込まれてディスク面がディスク支持リング部１１にて支持されるように、ターンテーブル１０上に当該記録ディスクがセットされる。この状態で、駆動モータ２０の回転軸２５の回転によりターンテーブル１０が回転される。そして、光ピックアップユニット（図示略）がターンテーブル１０の回転に伴って回転する記録ディスクから情報の読み取りを行なう。
【０００５】
ところで、支持部１３の軸孔１４に圧入された駆動モータ２０の回転軸２５によってターンテーブル１０が回転支持された構造となっているので、ディスクドライブ装置の搬送中の落下衝撃などによりターンテーブル１０に慣性力や外力が加わると、ターンテーブル１０が駆動モータ２０側にずれる場合がある。このずれ量が大きく、ターンテーブル１０が駆動モータ２０側に位置する他の部材、例えば、ドライブシャーシ１００に接触してしまうと、ターンテーブル１０の回転に支障をきたしてしまう。
【０００６】
このような問題を解決するために、ターンテーブル１０の軸孔１４の先端を塞ぐと共に軸孔１４と外部とを連通する連通孔の形成されたストッパ（係止片）が設けられ、駆動モータ２０の回転軸２５を軸孔１４にその先端部が前記ストッパに当接するまで圧入するようにした構造が提案されている（例えば、特許文献１参照）。このような構造によれば、ターンテーブル１０の軸孔１４に圧入された駆動モータ２０の回転軸２５の先端がストッパに当接しているので、ディスクドライブ装置の搬送中の落下衝撃などによりターンテーブル１０に慣性力や外力が加わっても、ターンテーブル１０が駆動モータ２０側にずれることがない。
【特許文献１】特開平６−１３１７８４号公報
【発明の開示】
【発明が解決しようとする課題】
【０００７】
しかしながら、前述したような従来のディスクドライブ装置では、駆動モータ２０の回転軸２５の先端が軸孔１４を塞ぐストッパに当接しているので、回転軸２５にて回転支持されるターンテーブル１０の圧入深さや面振れの精度が前記ストッパの端面の位置精度や仕上げ精度に依存してしまう。
【０００８】
本発明は、このような従来の問題を解決するためになされたものであり、面振れなどに影響を与えることなくターンテーブルを駆動モータの回転軸により回転支持することができ、かつ、落下衝撃等の外力が加わった場合に前記ターンテーブルの駆動モータ側へのずれ量が極力小さくなるような構造のディスクドライブ装置を提供するものである。
【課題を解決するための手段】
【０００９】
本発明に係るディスクドライブ装置は、軸孔の形成された支持部を中央部に有するターンテーブルと、前記ターンテーブルにおける前記支持部の軸孔に圧入され、前記ターンテーブルを回転支持する回転軸を有する駆動モータと、前記ターンテーブルにセットされた記録ディスクからの情報の読み出しに用いられる光ピックアップユニットとを備えたディスクドライブ装置であって、前記ターンテーブルの支持部は、その先端部に、前記軸孔を塞ぐと共に該軸孔と外部とを連通する連通孔の形成されたストッパ部を有し、前記駆動モータの回転軸の先端と前記ストッパ部との間に第１の隙間が形成された状態で前記回転軸が前記軸孔に圧入された構成となる。
【００１０】
このような構成によれば、駆動モータの回転軸がターンテーブルにおける支持部に形成された軸孔に圧入された状態で、前記回転軸の先端部とストッパ部との間に第１の隙間があるので、ストッパ部の加工精度等が前記回転軸によるターンテーブルの支持（面振れ）に影響を与えることがない。また、落下衝撃などによってターンテーブルが駆動モータ側にずれたとしても、駆動モータの回転軸の先端がストッパ部に突き当たることになるので、そのずれ量は、前記回転軸の先端とストッパ部との間に当初形成された第１の隙間分を超えることはない。
【００１１】
また、本発明に係るディスクドライブ装置は、前記第１の隙間が、前記ターンテーブルと駆動モータとの間に配置される部材と前記ターンテーブルとの間の第２の隙間より小さい構成とすることができる。
【００１２】
このような構成により、落下衝撃などによって駆動モータの回転軸の先端がストッパ部に突き当たるまでターンテーブルがずれたとしても、該ターンテーブルが当該ターンテーブルと駆動モータとの間に配置される部材に接触してターンテーブルの回転に支障をきたすことがない状態を維持することができる。
【００１３】
更に、本発明に係るディスクドライブ装置は、前記第１の隙間が、前記光ピックアップユニットの前記ターンテーブルにセットされた記録ディスク面に垂直な方向における読み取り位置調整許容範囲より小さい構成とすることができる。
【００１４】
このような構成により、落下衝撃などによって駆動モータの回転軸の先端がストッパ部に突き当たるまでターンテーブルがずれたとしても、該ターンテーブル上にセットされた記録ディスクから光ピックアップユニットにより情報の読み取りが可能な状態を維持することができる。
【発明の効果】
【００１５】
本発明に係るディスクドライブ装置によれば、ターンテーブルの軸孔を塞ぐように形成されたストッパ部の加工精度が前記回転軸によるターンテーブルの支持精度に影響を与えることがなく、また、落下衝撃などによってターンテーブルが駆動モータ側にずれたとしても、そのずれ量は、前記回転軸の先端とストッパ部との間に当初形成された第１の隙間分を超えることはないので、ターンテーブルの駆動モータ側へのずれ量を極力小さくすることができるようになる。
【発明を実施するための最良の形態】
【００１６】
以下、本発明の実施の形態について、図面を用いて説明する。
【００１７】
本発明の実施の一形態に係るディスクドライブ装置は図１及び図２に示すように構成される。図１は、一部断面斜視図であり、図２は、断面図である。
【００１８】
図１及び図２において、ディスクドライブ装置は、図３に示す場合と同様に、金属または樹脂モールドにて形成され、ディスク支持リング部１１、ディスクセットリング部１２及び支持部１３を有するターンテーブル１０と、駆動モータ２０とを備えている。支持部１３の中心には、ターンテーブル１０の背面から続く軸穴１４が形成され、支持部１３の先端部には、軸孔１４を塞ぐと共に軸孔１４と外部とを連通する連通孔１３ｂの形成されたストッパ部１３ａが形成されている。
【００１９】
駆動モータ２０は、図３に示す場合と同様に、ロータ２４に固定された回転軸２５が、フレーム２１の中央部に形成された軸受け支持部２２に固定支持されたメタル軸受け２３にて回転自在に支持されている。そして、電磁回路部材（図示略）の電磁作用によるロータ２４の回転によって回転軸２５が回転する。駆動モータ２０は、ドライブシャーシ１００の下方側に位置するように支持部材（図示略）に固定支持されている。また、回転軸２５は、ドライブシャーシ１００の上方側に位置するターンテーブル１０の支持部１３に形成された軸孔１４に、その先端とストッパ部１３ａとの間に第１の隙間ΔＢが形成された状態で圧入されている。なお、軸孔１４を塞ぐストッパ部１３ａに連通孔１３ｂが形成されているので、回転軸２５を軸孔１４に容易に圧入することができる。
【００２０】
記録ディスク（ＣＤ、ＤＶＤ等）ＤＫの中心孔がディスクセットリング部１２に嵌め込まれてディスク面がディスク支持リング部１１にて支持されるように、ターンテーブル１０上に当該記録ディスクＤＫがセットされる。この状態で、駆動モータ２０の回転軸２５の回転によりターンテーブル１０が回転される。
【００２１】
前述したようにターンテーブル１０にセットされた記録ディスクＤＫの下方側に位置するように光ピックアップユニット３０が設けられている。光ピックアップユニット３０は、支持機構４０によってターンテーブル１０の径方向に移動自在に支持されている。光ピックアップユニット３０は、レンズホルダ３１によって支持された対物レンズ３２を有しており、情報読み取り用の光（レーザ光）が対物レンズ３２を介して記録ディスクＤＫの記録面に照射され、その反射光が対物レンズ３２を介して光ピックアップユニット３０に取り込まれるようになっている。これにより、光ピックアップユニット３０がターンテーブル１０の回転に伴って回転する記録ディスクＤＫから情報の読み取りを行なう。
【００２２】
光ピックアップユニット３０は、レンズホルダ３１を介して対物レンズ３２を記録ディスクＤＫの記録面に垂直な方向（フォーカス方向）に僅かに進退動させるアクチュエータ機構を備えており、対物レンズ３２の前記進退動によって記録ディスクＤＫの記録面に垂直な方向におけるレーザ光の焦点位置が調整できるようになっている。対物レンズ３２の前記進退動範囲が記録ディスクＤＫの記録面に垂直な方向における読み取り位置調整（フォーカス調整）許容範囲ΔＣに対応する。
【００２３】
ターンテーブル１０の軸孔１４に圧入される駆動モータ２０の回転軸２５の先端と軸孔１４を塞ぐストッパ部１３ａとの間の前記第１の隙間ΔＢは、ターンテーブル１０と駆動モータ２０との間に配置される部材、この場合、ドライブシャーシ１００と、ターンテーブル１０との間の第２の隙間ΔＡより小さく（ΔＢ＜ΔＡ）、かつ、前述した光ピックアップユニット３０の記録ディスクＤＫの記録面に垂直な方向における読み取り位置調整許容範囲ΔＣより小さく（ΔＢ＜ΔＣ）なるように設定されている。
【００２４】
駆動モータ２０の回転軸２５がターンテーブル１０における支持部１３に形成された軸孔１４に圧入された状態で、回転軸２５の先端と軸孔１４を塞ぐストッパ部１３ａとの間に第１の隙間ΔＢがあるので、ストッパ部１３ａが回転軸２５によるターンテーブル１０の支持に影響を与えることがない。即ち、組立て時にストッパ部１３ａと回転軸２５の先端とが接触しないので、ストッパ部１３ａの端面（回転軸２５の先端との対向面）の加工精度や面粗度がラフであっても、その端面の仕上げ精度のラフさによってターンテーブル１０が面振れすることはない。また、ターンテーブル１０の圧入（高さ）位置も、ストッパ部１３ａ端面の加工精度によって影響されることなはなく、ゲージ等によって正確に維持、管理することができる。
【００２５】
また、落下衝撃等の外力が作用した際にターンテーブル１０が駆動モータ２０側にずれたとしても、駆動モータ２０の回転軸２５の先端がストッパ部１３ａに突き当たるので、そのずれ量は、前記第１の隙間ΔＢ分を超えることはない。更に、仮に前記第１の隙間ΔＢ分ターンテーブル１０がずれたとしても、その第１の隙間ΔＢは、ターンテーブル１０とドライブシャーシ１００との間の第２の隙間ΔＡより小さいので、ターンテーブル１０がドライブシャーシ１００に接触することはなく、ターンテーブル１０の回転に支障をきたす状態になることはない。また、前記第１の隙間ΔＢは、光ピックアップユニット３０の、ターンテーブル１０にセットされた記録ディスクＤＫの記録面に垂直な方向における読み取り位置調整許容範囲ΔＣより小さいので、記録ディスクＤＫからの情報の読み取りが不能になることもない。
【００２６】
なお、落下衝撃等の外力が作用した際におけるターンテーブル１０の駆動モータ２０側へのずれ量が、前記第１の隙間ΔＢに達していなければ、ターンテーブル１０は、ストッパ部１３ａの影響を受けることなく駆動モータ２０の回転軸２５に支持された状態を維持することになり、ターンテーブル１０の面振れも発生しない。そして、光ピックアップユニット３０がそのターンテーブル１０にセットされた記録ディスクＤＫの記録面に垂直な方向における読み取り位置調整（フォーカス調整）を行なうことにより、当該記録ディスクＤＫからの正常な情報の読み取りが継続的になされ得る。
【産業上の利用可能性】
【００２７】
以上、説明したように、本発明に係るディスクドライブ装置は、ターンテーブルの加工精度が面振れなどに影響を与えることなく、このターンテーブルを駆動モータの回転軸に支持することができ、かつ、落下衝撃等の外力が加わった場合に前記ターンテーブルの駆動モータ側へのずれ量が極力小さくなるような構造となり、ＣＤ、ＤＶＤ（Digital Versatile Disk）等の記録ディスクからの情報の読み出しに際して当該記録ディスクを回転駆動させるディスクドライブ装置として有用である。
【図面の簡単な説明】
【００２８】
【図１】本発明の実施の一形態に係るディスクドライブ装置の構造を示す一部断面斜視図である。
【図２】本発明の実施の一形態に係るディスクドライブ装置の構造を示す断面図である。
【図３】従来のディスクドライブ装置の構造例を示す一部断面斜視図である。
【符号の説明】
【００２９】
１０  ターンテーブル
１１  ディスク支持リング部
１２  ディスクセットリング部
１３  支持部
１３ａ  ストッパ部
１３ｂ  連通孔
１４  軸孔
２０  駆動モータ
２１  フレーム
２２  軸受け支持部
２３  メタル軸受け
２４  ロータ
２５  回転軸
３０  光ピックアップユニット
４０  支持機構
１００  ドライブシャーシ
【図１】
2006155705.tif 000003
【図２】
2006155705.tif 000004
【図３】
2006155705.tif 000005